(57)【要約】【課題】  塗装層の接着強度を高めるとともに作業工程を効率よく行うことのできるものを提供する点にある。【解決手段】  炭素繊維ｃ群に熱硬化性樹脂を含浸させたプリプレグをマンドレル６に巻回して竿素材Ｂを形成する。竿素材Ｂの握り部形成位置にゴム系塗料を塗布して塗装層１０を形成し、その塗装層１０を形成した竿素材Ｂをその塗装層１０とともに一体で焼成する。焼成後にゴム系塗料を塗布した塗装層１０の表面に粗面化処理を施してある。【選択図】        図４
2006314229.tif 000002
【特許請求の範囲】
【請求項１】
竿素材における握り部形成位置に、前記握り部形成位置に塗布された状態で焼成処理を受けるとともに粗面化処理を施されたゴム系塗料からなる塗装層を備えている釣り竿。
【請求項２】
竿素材の握り部形成位置にゴム系塗料を塗布して塗装層を形成し、その塗装層を形成した竿素材をその塗装層とともに一体で焼成し、焼成後に前記ゴム系塗料を塗布した塗装層の表面に粗面化処理を施してある釣り竿。
【請求項３】
強化繊維群に樹脂を含浸させたプリプレグをマンドレルに巻回して竿素材を形成するとともに、前記竿素材の握り部形成位置にゴム系塗料を塗布して塗装層を形成し、その塗装層を形成した竿素材をその塗装層とともに一体で焼成し、焼成後に前記ゴム系塗料を塗布した塗装層の表面に粗面化処理を施してある釣り竿の製造方法。
【請求項４】
前記握り部形成位置を元竿の竿尻端部に形成されるグリップ部に設定してある請求項1から３のうちのいずれか一つに記載の釣り竿の製造方法。
【請求項５】
竿先側竿体を竿尻側竿体内に収納した状態を保持可能な保持手段を備えるとともに、前記握り部形成位置を竿先側竿体の竿先端部の外周面に形成してある請求項1から３のうちのいずれか一つに記載の釣り竿。
【発明の詳細な説明】
【技術分野】
【０００１】
本発明は、グリップ部を備えている釣り竿に関する。
【背景技術】
【０００２】
グリップ部を形成するのに、プリプレグをマンドレルに巻回して竿素材を形成するとともに、この竿素材を焼成炉において焼成後、竿素材に対して研磨処理を施して、その後、塗装を施し、竿素材の握り部形成位置の塗装面にグラインダー等で粗面化処理を施し、グリップ部を形成していた（特許文献１参照）。
【０００３】
【特許文献１】特開平０７−３２７５５６号公報（公報第３欄の第１９行〜第４０行、及び、図２）
【発明の開示】
【発明が解決しようとする課題】
【０００４】
塗装工程は竿素材への焼成後に行われている。その為に、竿素材の表面に対する塗料の接着強度が十分でない面があった。
また、塗料の接着強度を確保するために、塗装を行う前に、竿素材の外周面に研磨加工を施す必要があった。
【０００５】
本発明の目的は、塗装層の接着強度を高めるとともに作業工程を効率よく行うことのできるものを提供する点にある。
【課題を解決するための手段】
【０００６】
〔構成〕
請求項１に係る発明の特徴構成は、竿素材における握り部形成位置に、前記握り部形成位置に塗布された状態で焼成処理を受けるとともに粗面化処理を施されたゴム系塗料からなる塗装層を備えている点にあり、その作用効果は次の通りである。
【０００７】
〔作用〕
従来は竿素材の表面が焼成処理を受け、その焼成処理された竿素材の表面に研磨処理を施した後に塗装を施していた。これに対して本願発明においては、塗装した状態でその塗装層の表面に焼成処理を施しているので、竿素材と塗装層とが焼成時になじみ易く接着強度が向上する。
接着強度を向上させた状態の握り部形成位置の塗装層に対して粗面化処理を行うので、粗面化処理時の研磨作業によっても塗装層の接着強度が低下することはなく、良好な接着状態を維持できる。
このように、ゴム系塗装層による柔らかい感触を与えるとともに、粗面化処理によって、滑り難い特性を与えることができ、竿操作を容易にするものである。しかも、ゴム系塗装層の表面を粗面化処理しているので、ゴムの質感を維持したものにできる。
【０００８】
〔効果〕
したがって、竿素材に塗装を施す為に研磨処理を施すことなく密着度を高めた塗装を行うことができ、塗装強度が向上し、長期に亘って塗装剥離等が生じ難い釣り竿を提供することができた。
【０００９】
請求項２に係る発明の特徴構成は、請求項１に係る発明において、竿素材の握り部形成位置にゴム系塗料を塗布して塗装層を形成し、その塗装層を形成した竿素材をその塗装層とともに一体で焼成し、焼成後に前記ゴム系塗料を塗布した塗装層の表面に粗面化処理を施してある点にあり、その作用効果は次の通りである。
【００１０】
〔作用効果〕
つまり、竿素材の握り部形成位置にゴム系塗料を塗布して塗装層を形成し、その塗装層を形成した竿素材をその塗装層とともに一体で焼成する。したがって、塗装層が焼成によって軟化した竿素材の表面と馴染み易くなるところから、強力に接着される。
しかも、塗装層を施した後に焼成するので、竿素材に塗料の載りを良くするために焼成する前工程で研磨処理を施す工程を省略しても、塗装層の竿素材に対する接着強度を確保でき、作業行程の省略を可能とする。
【００１１】
請求項３に係る発明の特徴構成は、請求項１又は２に係る発明において、強化繊維群に樹脂を含浸させたプリプレグをマンドレルに巻回して竿素材を形成するとともに、前記竿素材の握り部形成位置にゴム系塗料を塗布して塗装層を形成し、その塗装層を形成した竿素材をその塗装層とともに一体で焼成し、焼成後に前記ゴム系塗料を塗布した塗装層の表面に粗面化処理を施してある点にあり、その作用効果は次の通りである。
【００１２】
〔作用効果〕
竿素材の握り部形成位置にゴム系塗料を塗布して塗装層を形成し、その塗装層を形成した竿素材をその塗装層とともに一体で焼成する。したがって、塗装層が焼成によって軟化した竿素材の表面と馴染み易くなるところから、強力に接着される。
しかも、塗装層を施した後に焼成するので、竿素材に塗料の載りを良くするために焼成する前工程で研磨処理を施す工程を省略しても、塗装層の竿素材に対する接着強度を確保でき、作業行程の省略を可能とする。
【００１３】
請求項４に係る発明の特徴構成は、請求項１〜３の内のいずれか一つに係る発明において、前記握り部形成位置を元竿の竿尻端部に形成されるグリップ部に設定してある点にあり、その作用効果は次の通りである。
【００１４】
〔作用効果〕
釣り操作を行う際に、竿を支持しかつ竿を操作する支点となる元竿の竿尻端部に形成するグリップ部に前記したようにゴム系塗料を施してその後に焼成してあるので、ゴム系塗装層の接着強度が安定しているところから、ゴム系塗装層による握りの柔らかと粗面化による滑り難さが生かされて、より竿操作が安定する。
【００１５】
請求項５に係る発明の特徴構成は、請求項１〜３の内のいずれか一つに係る発明において、竿先側竿体を竿尻側竿体内に収納した状態を保持可能な保持手段を備えるとともに、前記握り部形成位置を竿先側竿体の竿先端部の外周面に形成してある点にあり、その作用効果は次の通りである。
【００１６】
〔作用効果〕
竿先側竿体を竿尻側竿体に収納した状態であってもその状態を保持して釣り操作を行うことのできる伸縮式の釣り竿において、前記したように、竿先側竿体の竿先端部の外周面に握り部を形成することとしてあるので、竿先側竿体を竿尻側竿体から引き出す際に、竿先側竿体の竿先端部の外周面に形成した握り部を握って引出し操作を行うことができるので、引出し操作時に滑りを生ずることが少なく、迅速な操作を行うことができる。
【発明を実施するための最良の形態】
【００１７】
〔第1実施形態〕
磯竿等の釣り竿に形成されるグリップ構造について説明する。図１に示すように、釣り竿の元竿１にリールシート２を取り付け固定するとともに、竿尻端に尻栓３を取り付け、尻栓３の竿先側に握り部としてのグリップ部４を形成してある。
【００１８】
元竿１の製造方法について説明する。図４に示すように、一方向に引き揃え配置した炭素繊維等の強化繊維ｃにエポキシ等の熱硬化性樹脂を含浸させたプリプレグを、元竿１となる竿素材Ｂの全長に亘る長さに裁断されたメインパターンを複数枚用意する。ここでは、強化繊維ｃを円周方向に引き揃えた第1メインパターン５Ａ、強化繊維ｃを軸線方向に引き揃えた第２メインパターン５Ｂ、強化繊維ｃを円周方向に引き揃えた第３メインパターン５Ｃの３枚を重ねてマンドレル６に巻回する。尚、玉口等を補強する目的で口巻き補強パターン７を前記第1メインパターン５Ａの内側に配置する。口巻き補強パターン７は、メインパターン５Ａ等と同様のプリプレグから軸線方向に沿った長さをメインパターン５Ａ等より短くしたものである。
【００１９】
上記した３つのメインパターン５Ａ等と口巻き補強パターン７とを巻回して形成した竿素材Ｂに対して、その竿素材Ｂをマンドレル６に装着したままで、塗装を施す。つまり、図２に示すように、エポキシ系樹脂塗装層８とその上からウレタン系樹脂塗装層９とを竿素材Ｂの全長に亘って施すとともに、竿尻端部の一定領域に、本願発明のゴム系塗料を施して、ゴム系塗装層１０を形成することとしてある。このゴム系塗装層１０の厚みとしては、０．０３〜０．３ｍｍ位が適当である。
【００２０】
塗装方法はつぎのようになる。つまり、前記したプリプレグを巻回することによって筒状の竿素材Ｂを作り出した後に、
（i）  図３及び図４（ロ）に示すように、竿素材Ｂの全長に亘って、吹き付け塗装方法
を用いて、エポキシ系樹脂塗料を塗布して、エポキシ系樹脂塗装層８を形成する。これによって、下塗り塗装を行うこととなる。
（ii）  図３及び図４（ロ）に示すように、所定時間乾燥後、エポキシ系樹脂塗装層８
の上から、竿素材Ｂの全長に亘って、ウレタン系樹脂塗料をスプレーガンＤ等によって塗布して、ウレタン系樹脂塗装層９を形成する。これによって、上塗り塗装を行うこととなる。
（iii）  図３及び図４（ロ）に示すように、所定時間乾燥後、ウレタン系樹脂塗装層
９の上から、グリップ部４を形成する竿素材Ｂの竿尻端部の領域に、前記したゴム系樹脂塗料をスプレーガンＤ等によって塗布して、ゴム系塗装層１０を形成する。これによって、グリップ部４を形成することとなる。
【００２１】
以上のように塗装を施された竿素材Ｂに対しては、次ぎのように、処理が施される。
（iv）  図４（ハ）に示すように、竿素材Ｂに対して塗装後、セロファンテープ等の成
形テープ（図示せず）を巻回し、マンドレル６に竿素材Ｂを装着した状態で、焼成処理を施す。
（v）  図４（ニ）に示すように、焼成後、マンドレル６を竿素材Ｂから抜き出し、成形
テープを剥離させた後に、所定長さに竿素材Ｂを裁断して、竿素材Ｂの全長に亘ってセンタレス研磨機Ｃによって表面処理加工を施し、形成テープ跡を均すこととする。
（vi）  次ぎに、図４（ニ）に示すように、ゴム系塗装層１０の表面に対してセンタレ
ス研磨機Ｃによって粗面化処理を行う。これによって、グリップ部４の表面が粗面化し、グリップ部４を握った状態で滑りにくくなる。また、このように粗面化することによって、グリップ部４の表面にゴムに類似した質感を持たせることができる。
【００２２】
このゴム系塗料としては、軟質系ポリエステル型ポリウレタン樹脂塗料が使用される。この塗料はカシュウ株式会社製の商品名「セノソフト」「セノソフトII」として市販され
ているものであり、その他には、藤倉化成株式会社製の商品名「ベルベックス」等、東和ペイント株式会社製の商品名「ＡＮＥＸＴＥＬ」、「ＡＬＥＸＩＴ」等の超微粒子プラスティック顔料を配合したウレタン樹脂塗料や、出光石油化学株式会社製の商品名「マティロ」等の天然コラーゲン繊維を超微粉化したプロテインパウダーと特殊ウレタン樹脂とを複合化したウレタン樹脂塗料等が該当する。これらの塗料は、感触が軟らかくかつ弾力性を有している。また、艶消し効果が大きく、均一の艶消し状態が得られる。更に、耐傷つき性や耐磨耗性が高く強靭で可撓性に富んでいる。耐水性、耐油性等に優れている。
【００２３】
〔第２実施形態〕
第２実施形態では、第１実施形態とは異なる位置に握り部形成位置を設けて、握り部形成位置に前記したゴム系塗装を行うように構成する。図５に示すように手元側元竿１１に対して手先側元竿１２を、収縮状態でもその状態を保持することのできる機構を備えて、鮎竿や渓流竿に採用されている伸縮式の元竿を構成する。
【００２４】
図５に示すように、手先側元竿１２を手元側元竿１１内に収納した状態で、手先側元竿１２の竿先端の膨出部１２Ａが手元側元竿１１の竿先端部の内周面１１Ａに圧接するとともに、手先側元竿１２の竿尻端部の膨出部１２Ｂが手元側元竿１１内に設けられている座ゴム１１Ｂ内に嵌合して、手先側元竿１２が収縮状態に保持されている。この状態から、囮鮎を移動させるために手先側元竿１２を手元側元竿１１より引き出す必要があるが、この場合に、釣り人は一方の手を手元側元竿１１のグリップ部４を支えた状態で、手先側元竿１２の竿先端膨出部１２Ａよりさらに先端側で手元側元竿１１の竿先端より突出した部分を他方の手で握って、手先側元竿１２を引き出し操作する。ここに、座ゴム１１Ｂと手先側元竿１２の竿尻端部の膨出部１２Ｂとを保持手段Ａと称する。
【００２５】
したがって、手先側元竿１２における手元側元竿１１の竿先端より突出した玉口部分を握り部として、その握り部に前記したゴム系塗装層１０を施せばよい。このような構成によって、手元側元竿１１の竿尻端部のグリップ部４と手先側元竿１２にゴム系塗装を施してあるので、この両部分を握って釣り場の状況や流れの状況にあわせて、手先側元竿１２を手元側元竿１１から引き出したり収納したりする操作が容易になる。図５中の１４は、元上である。
【００２６】
〔第３実施形態〕
並継竿（又はインロー継竿）１３にゴム系塗装層１０を適用する例について説明する。図６に示すように、小径側竿体１３Ａを大径側竿体１３Ｂに並継可能に構成すべく、小径側竿体１３Ａの竿尻端部に後端側程小径化する傾斜当接面部１３ａを形成するとともに、大径側竿体１３Ｂの竿先端部に前記傾斜当接面部１３ａを当接して受止める傾斜受止面部１３ｂを形成して、小径側竿体１３Ａの竿尻端部を大径側竿体１３Ｂの竿先端部に嵌入させると、小径側竿体１３Ａの傾斜当接面部１３ａが大径側竿体１３Ｂの傾斜受止面部１３ｂに密着して、両竿体１３Ａ、１３Ｂの継ぎ状態を保持するように構成してある。
【００２７】
上記のような構成を備えた並継竿１３において、小径側竿体１３Ａの前記傾斜当接面部１３ａの竿先側と、大径側竿体１３Ｂの釣り糸ガイド１３ｃよりも竿尻側部分に、前記したゴム系塗装層１０，１０を形成して、小径側竿体１３Ａと大径側竿体１３Ｂとを連結解除操作する際に、手が滑らないようにすることができる。
【００２８】
〔別実施形態〕
（１）  グリップ部４にゴム系塗装層１０とともに、突起部１５を形成する構成を採ってもよい。図７に示すように、エポキシ系樹脂塗装層８の上から、ウレタン系樹脂塗装層９を形成するとともに、そのウレタン系樹脂塗装層９の外周面に、複数の突起部１５を形成する。その突起部１５を形成した上から前記したゴム系塗装層１０を被覆する。
突起部１５は、２液反応型エポキシ樹脂からなる印刷用インキを、スクリーン印刷手法を用いてウレタン系樹脂塗装層９の外周面に形成する。ゴム系塗装層１０で突起部１５を被覆した後には、突起部１５が露出しない程度に、前記したセンタレス研磨機Ｃで研磨加工を施し、粗面化処理を行う。
突起部１５は、ゴム系塗装層１０に比べて硬いものであるので、グリップ部４を握った状態では、硬い突起部１５と軟らかいゴム系塗装層１０とが感触として手に伝わり、滑り難い構成とすることができる。
【図面の簡単な説明】
【００２９】
【図１】元竿の側面図
【図２】元竿の握り部における塗装構造を示す側面図
【図３】竿素材に３層の塗装を施し、最上層部にゴム系塗装層を施している状態を示めす縦断側面図
【図４】塗装工程を示し、（イ）はプリプレグを巻回する前の状態を示す斜視図、（ロ）は吹き付け塗装を施す状態を示す斜視図、（ハ）は焼成処理工程を示す概略構成図、（ニ）はセンタレス研磨機による研磨工程を示す斜視図、（ホ）はセンタレス研磨機による粗面化処理工程を施した後の状態を示す斜視図
【図５】竿先側竿体を竿尻側竿体内に収納した状態を示す縦断側面図
【図６】並継竿の継ぐ前の状態を示す縦断側面図
【図７】突起部をゴム系塗装層内に設けた状態を示し、（イ）は突起部を形成した後にゴム系塗装層を塗布した状態を示す縦断側面図、（ロ）は（イ）の状態から研磨処理を施した状態を示す縦断側面図
【符号の説明】
【００３０】
４            グリップ部
６            マンドレル
１０          ゴム系樹脂塗装層
１１          手元側元竿
１２          手先側元竿
Ａ            保持手段
Ｂ            竿素材
【図１】
2006314229.tif 000003
【図２】
2006314229.tif 000004
【図３】
2006314229.tif 000005
【図４】
2006314229.tif 000006
【図５】
2006314229.tif 000007
【図６】
2006314229.tif 000008
【図７】
2006314229.tif 000009